(57)【特許請求の範囲】
【請求項１】
前後胴周り域およびそれら胴周り域の間に位置する股下域を有する液吸収性第１パネルと、前記第１パネルの上方に位置して前記前胴周り域から前記股下域へ向かって延びる液吸収性第２パネルとから構成され、前記第１パネルが、吸液性第１コアと、前記第１コアの肌対向側を覆う透液性シートと、前記第１コアの肌非対向側を覆う不透液性シートとから形成され、前記第２パネルが、吸液性第２コアと、前記第２コアの肌対向側および肌非対向側を覆う透液性シートとから形成された使い捨ておむつにおいて、
前記第２パネルが、前記前胴周り域に位置して前記第１パネルの前端部に重なる当接端部と、前記股下域寄りに位置する自由端部と、前記第１パネルの両側部に重なって縦方向へ延びる当接側部とを有し、前記第１および第２パネルの間に介在して横方向へ延びる伸縮性第１弾性部材が、前記第２パネルの当接端部とその自由端部との間に配置され、前記第１弾性部材を横方向へ伸長させた状態でその横方向両端部が、前記第１パネルの両側部と前記第２パネルの当接側部とに連結され、
前記第２パネルの当接側部が、前記第１弾性部材の収縮によって前記おむつの縦中心線の方向へ引き寄せられ、前記第２パネルの自由端部が、前記第１パネルの上方へ向かって凸となり、前記第１パネルと前記第２パネルとの間に前記前胴周り域から前記股下域へ向かって開口するポケットが形成されていることを特徴とする前記おむつ。
【請求項２】
前記第１パネルの両側部が、前記第１弾性部材の収縮によって前記縦中心線の方向へ引き寄せられ、前記第２パネルの自由端部に重なる前記第１パネルの部位が、前記第２パネルの下方へ向かって凸となっている請求項１記載のおむつ。
【請求項３】
前記おむつが、前記第１パネルの上方に位置して前記後胴周り域から前記股下域へ向かって延びる液吸収性第３パネルを有し、前記第３パネルが、吸液性第３コアと、前記第３コアの肌対向側および肌非対向側を覆う透液性シートから形成され、
前記第３パネルが、前記後胴周り域に位置して前記第１パネルの後端部に重なる当接端部と、前記股下域寄りに位置する自由端部と、前記第１パネルの両側部に重なって縦方向へ延びる当接側部とを有し、前記第１および第３パネルの間に介在して横方向へ延びる伸縮性第２弾性部材が、前記第３パネルの当接端部とその自由端部との間に配置され、前記第２弾性部材を横方向へ伸長させた状態でその横方向両端部が、前記第１パネルの両側部と前記第３パネルの当接側部とに連結され、
前記第３パネルの当接側部が、前記第２弾性部材の収縮によって前記縦中心線の方向へ引き寄せられ、前記第３パネルの自由端部が、前記第１パネルの上方へ向かって凸となり、前記第１パネルと前記第３パネルとの間に前記後胴周り域から前記股下域へ向かって開口するポケットが形成され、
前記第２パネルと前記第３パネルとの自由端部どうしが縦方向へ所与寸法離間し、前記第２パネルの自由端部と前記第３パネルの自由端部との間に前記第１パネルが露出している請求項１または請求項２に記載のおむつ。
【請求項４】
前記第１パネルの両側部が、前記第２弾性部材の収縮によって前記縦中心線の方向へ引き寄せられ、前記第３パネルの自由端部に重なる前記第１パネルの部位が、前記第３パネルの下方へ向かって凸となっている請求項３記載のおむつ。
【請求項５】
前記第２パネルの前記前胴周り域から前記股下域への延出寸法が、前記第３パネルの前記後胴周り域から前記股下域へのそれよりも大きく、前記第１パネルが、前記股下域における前記後胴周り域の側へ偏倚した位置に露出している請求項３または請求項４に記載のおむつ。
【請求項６】
前記第１パネルの単位面積当たりの排泄物吸収量が、前記第２パネルの単位面積当たりのそれよりも小さい請求項１ないし請求項５いずれかに記載のおむつ。
【発明の詳細な説明】
【０００１】
【発明の属する技術分野】
本発明は、排泄物を吸収、保持する使い捨ておむつに関する。
【０００２】
【従来の技術】
特開平８−１９６５６５号公報は、透液性表面シートと、不透液性裏面シートと、それらシートの間に介在する吸液性コアとを有し、コアが上層コアと下層コアとからなる使い捨ておむつを開示している。上層コアは、前胴周り域から股下域へ向かって延びる前部コアと、後胴周り域から股下域に向かって延びる後部コアとから形成されている。このおむつでは、前部コアの後端部と後部コアの前端部とが股下域において縦方向へ所与寸法離間し、上層コアの上面を被覆する表面シートが前部コアの後端部と後部コアの前端部とにおいて下層コアの側へ向かって折曲されるとともに、表面シートが上下層コアの間に折り込まれている。
【０００３】
このおむつでは、前部コアと下層コアとの間に前胴周り域から股下域へ向かって開口するポケットが形成され、後部コアと下層コアとの間に後胴周り域から股下域へ向かって開口するポケットが形成されるので、それらポケットに大便を収容することができる。
【０００４】
【発明が解決しようとする課題】
同号公報に開示のおむつは、前部コアの後端部と後部コアの前端部とを下層コアの上方へ積極的に離間させるための手段を備えておらず、前後部コアの前後端部と下層コアとが互いに当接し易く、ポケットがその口を開け難い。このおむつでは、ポケットがわずかに口を開けたとしても、そこにわずかな大便を収容し得るに過ぎず、ポケットに収容しきれない大便が着用者の肌に付着してしまう場合がある。
【０００５】
本発明の課題は、ポケットが大きく口を開けることができ、そこに大便を収容して着用者の肌に対する大便の付着を確実に防ぐことができる使い捨ておむつを提供することにある。
【０００６】
【課題を解決するための手段】
前記課題を解決するための本発明の前提は、前後胴周り域およびそれら胴周り域の間に位置する股下域を有する液吸収性第１パネルと、前記第１パネルの上方に位置して前記前胴周り域から前記股下域へ向かって延びる液吸収性第２パネルとから構成され、前記第１パネルが、吸液性第１コアと、前記第１コアの肌対向側を覆う透液性シートと、前記第１コアの肌非対向側を覆う不透液性シートとから形成され、前記第２パネルが、吸液性第２コアと、前記第２コアの肌対向側および肌非対向側を覆う透液性シートとから形成された使い捨ておむつである。
【０００７】
前記前提における本発明の特徴は、前記第２パネルが、前記前胴周り域に位置して前記第１パネルの前端部に重なる当接端部と、前記股下域寄りに位置する自由端部と、前記第１パネルの両側部に重なって縦方向へ延びる当接側部とを有し、前記第１および第２パネルの間に介在して横方向へ延びる伸縮性第１弾性部材が前記第２パネルの当接端部とその自由端部との間に配置され、前記第１弾性部材を横方向へ伸長させた状態でその横方向両端部が前記第１パネルの両側部と前記第２パネルの当接側部とに連結され、前記第２パネルの当接側部が前記第１弾性部材の収縮によって前記おむつの縦中心線の方向へ引き寄せられ、前記第２パネルの自由端部が前記第１パネルの上方へ向かって凸となり、前記第１パネルと前記第２パネルとの間に前記前胴周り域から前記股下域へ向かって開口するポケットが形成されていることにある。
【０００８】
本発明の実施の態様の一例としては、前記第１パネルの両側部が前記第１弾性部材の収縮によって前記縦中心線の方向へ引き寄せられ、前記第２パネルの自由端部に重なる前記第１パネルの部位が前記第２パネルの下方へ向かって凸となっている。
【０００９】
本発明の実施の態様の他の一例としては、前記おむつが前記第１パネルの上方に位置して前記後胴周り域から前記股下域へ向かって延びる液吸収性第３パネルを有し、前記第３パネルが、吸液性第３コアと、前記第３コアの肌対向側および肌非対向側を覆う透液性シートから形成され、前記第３パネルが、前記後胴周り域に位置して前記第１パネルの後端部に重なる当接端部と、前記股下域寄りに位置する自由端部と、前記第１パネルの両側部に重なって前記縦方向へ延びる当接側部とを有し、前記第１および第３パネルの間に介在して横方向へ延びる伸縮性第２弾性部材が前記第３パネルの当接端部とその自由端部との間に配置され、前記第２弾性部材を横方向へ伸長させた状態でその横方向両端部が前記第１パネルの両側部と前記第３パネルの当接側部とに連結され、前記第３パネルの当接側部が前記第２弾性部材の収縮によって前記縦中心線の方向へ引き寄せられ、前記第３パネルの自由端部が前記第１パネルの上方へ向かって凸となり、前記第１パネルと前記第３パネルとの間に前記後胴周り域から前記股下域へ向かって開口するポケットが形成され、前記第２パネルと前記第３パネルとの自由端部どうしが前記縦方向へ所与寸法離間し、前記第２パネルの自由端部と前記第３パネルの自由端部との間に前記第１パネルが露出している。
【００１０】
本発明の実施の態様の他の一例としては、前記第１パネルの両側部が前記第２弾性部材の収縮によって前記縦中心線の方向へ引き寄せられ、前記第３パネルの自由端部に重なる前記第１パネルの部位が前記第３パネルの下方へ向かって凸となっている。
【００１１】
本発明の実施の態様の他の一例としては、前記第２パネルの前記前胴周り域から前記股下域への延出寸法が前記第３パネルの前記後胴周り域から前記股下域へのそれよりも大きく、前記第１パネルが前記股下域における前記後胴周り域の側へ偏倚した位置に露出している。
【００１２】
本発明の実施の態様の他の一例としては、前記第１パネルの単位面積当たりの排泄物吸収量が、前記第２パネルの単位面積当たりのそれよりも小さい。
【００１３】
【発明の実施の形態】
添付の図面を参照し、本発明にかかる使い捨ておむつの詳細を開放型のおむつを例として説明すると、以下のとおりである。
【００１４】
図１，２は、表面シート２の側から示す使い捨ておむつ１Ａの部分破断斜視図と、図１のＡ−Ａ線矢視断面図とであり、図３，４は、図１のＢ−Ｂ線矢視断面図と、前後胴周り域２９，３１を連結した着用状態で示す図１のおむつ１Ａの斜視断面図とである。図１では、横方向を矢印Ｘで示し、縦方向を矢印Ｙで示す。
【００１５】
おむつ１Ａは、液吸収性第１パネルＰ１と、第１パネルＰ１の上方に位置する液吸収性第２パネルＰ２とから形成されている。おむつ１Ａは、それらパネルＰ１，Ｐ２の他に、実質的に不透液性の防漏カフ１５を有する。
【００１６】
第１パネルＰ１は、透液性表面シート２（透液性シート）と、不透液性裏面シート３（不透液性シート）と、表裏面シート２，３の間に介在してそれらシート２，３に固着された吸液性第１コア４とから形成されている。第１コア４は、その肌対向側が表面シート２に覆われ、その肌非対向側が裏面シート３に覆われている。第１パネルＰ１は、縦方向に前胴周り域２９および後胴周り域３１と、それら胴周り域２９，３１の間に位置する股下域３０とを備え、前後胴周り域２９，３１を横方向へ延びる前後端部５ａ，５ｂと、前後端部５ａ，５ｂの間を縦方向へ延びる両側部６とを有する。
【００１７】
第１パネルＰ１の前後端部５ａ，５ｂでは、第１コア４の両端縁４ａの外側を一対のエンドフラップ７が横方向へ延びている。第１パネルＰ１の両側部６では、第１コア４の両側縁４ｂの外側を一対のサイドフラップ８が縦方向へ延びている。第１パネルＰ１では、サイドフラップ８が股下域３０において横方向内方へ向かって弧を画いている。第１パネルＰ１は、その平面形状が砂時計型を呈する。
【００１８】
第２パネルＰ２は、透液性シート９と、透液性シート９の間に介在してシート９に固着された吸液性第２コア１０とから形成されている。第２コア１０は、肌対向側と肌非対向側とが透液性シート９に覆われている。第２パネルＰ２は、前胴周り域２９から股下域３０へ向かって延びている。
【００１９】
第２パネルＰ２は、第１パネルＰ１の前端部５ａに重なる当接端部１１と、第１パネルＰ１から上方へ離間する自由端部１２と、第１パネルＰ１の両側部６に重なる当接側部１３とを有する。当接端部１１は、第１パネルＰ１の前胴周り域２９に位置して横方向へ延びている。自由端部１２は、第１パネルＰ１の股下域３０寄りに位置して横方向へ延びている。当接側部１３は、それら端部１１，１２の間を縦方向へ延びている。透液性シート９は、第２パネルＰ２の自由端部１２において第２コア１０の肌対向側から肌非対向側へ向かって折曲されている。
【００２０】
おむつ１Ａでは、第１パネルＰ１の前端部５ａと第２パネルＰ２の当接端部１１とが表面シート２と透液性シート９とを介して固着され、第１パネルＰ１の両側部６と第２パネルＰ２の当接側部１３とが表面シート２と透液性シート９とを介して固着されている。
【００２１】
おむつ１Ａでは、横方向へ延びる伸縮性第１弾性部材１４が第２パネルＰ２の当接端部１１と自由端部１２との間に配置されている。第１弾性部材１４は、第１パネルＰ１と第２パネルＰ２との間に介在し、第１弾性部材１４を横方向へ伸長させた状態でその横方向両端部１４ａが第１パネルＰ１の両側部６と第２パネルＰ２の当接側部１３とに連結されている。第１弾性部材１４の横方向両端部１４ａは、表面シート２と透水性シート９とにホットメルト型接着剤（図示せず）を介して固着されている。
【００２２】
おむつ１Ａでは、第１弾性部材１４がおむつ１Ａの横方向内方へ収縮することによって、第１パネルＰ１の両側部６と第２パネルＰ２の当接側部１３とが縦中心線Ｚの方向へ引き寄せられ、第２パネルＰ２の自由端部１２に重なる第１パネルＰ１の部位が第２パネルＰ２の下方へ向かって凸となるように弧を画き、第２パネルＰ２の自由端部１２が第１パネルＰ１の上方へ向かって凸となるように弧を画いている。第１パネルＰ１と第２パネルＰ２との間には、前胴周り域２９から股下域３０へ向かって開口するポケットＰ４が形成されている。
【００２３】
防漏カフ１５は、サイドフラップ８に位置して股下域３０から前後胴周り域２９，３１へ向かって延びている。カフ１５は、縦方向へ延びる固定縁部１５ａと、固定縁部１５ａと並行して表面シート２の上方へ起立性向を有する自由縁部１５ｂと、前後胴周り域２９，３１に位置しておむつ１Ａの横方向内方へ倒伏した固定両端部１５ｃとを有する。カフ１５では、固定縁部１５ａがサイドフラップ８に固着され、固定両端部１５ｃがエンドフラップ７に固着されている。
【００２４】
カフ１５では、固定縁部１５ａからおむつ１Ａの横方向外方へ側部１５ｄが延びている。自由縁部１５ｂには、縦方向へ延びる弾性部材１６が伸長状態で取り付けられている。弾性部材１６は、自由縁部１５ｂの一部に被覆されている。
【００２５】
エンドフラップ７には、横方向へ延びる帯状の胴周り用弾性部材１７が伸長状態で取り付けられている。股下域３０におけるサイドフラップ８には、縦方向へ延びる複数条の脚周り用弾性部材１８が伸長状態で取り付けられている。
【００２６】
後胴周り域３１におけるサイドフラップ８には、横方向内方へ延びるテープファスナ１９が取り付けられている。テープファスナ１９の自由端部には、粘着剤（図示せず）が塗布されている。前胴周り域２９における裏面シート３の外面には、プラスチックフィルムからなる矩形のターゲットテープ２０が取り付けられている。ターゲットテープ２０は、テープファスナ１９に対する止着域となる。
【００２７】
エンドフラップ７では、図２に示すように、表面シート２の端部２ａと裏面シート３の端部３ａとが第１コア４の両端縁４ａから縦方向外方へ延び、それら端部２ａ，３ａの互いに重なり合う部分が固着されている。第２コア１０の端縁１０ａから縦方向外方へ延びる透液性シート９の端部９ａは、互いに重なり合う部分が固着され、さらに、表面シート２の端部２ａに固着されている。カフ１５の固定両端部１５ｃは、透液性シート９の端部９ａに固着されている。胴周り用弾性部材１７は、表面シート２の端部２ａと裏面シート３の端部３ａとの間に介在し、それら端部２ａ，３ａに固着されている。
【００２８】
サイドフラップ８では、図３に示すように、表面シート２の側部２ｂが第１コア４の両側縁４ｂから横方向外方へわずかに延び、表面シート２の側部２ｂからさらに横方向外方へ裏面シート３の側部３ｂとカフ１５の側部１５ｄとが延びている。側部２ｂと側部３ｂとは、それら側部２ｂ、３ｂの互いに重なり合う部分が固着されている。側部３ｂと側部１５ｄとは、それら側部３ｂ、１５ｄの互いに重なり合う部分が固着されている。
【００２９】
第２コア１０の両側縁１０ｂから横方向外方へ延びる透液性シート９の側部９ｂは、互いに重なり合う部分が固着され、さらに、表面シート２の側部２ｂとカフ１５の固定縁部１５ａとの間に介在し、側部２ｂと固定縁部１５ａとに固着されている。脚周り用弾性部材１８は、裏面シート３の側部３ｂとカフ１５の側部１５ｄとの間に介在し、それら側部３ｂ、１５ｄに固着されている。
【００３０】
おむつ１Ａを着用するには、後胴周り域３１のサイドフラップ８を前胴周り域２９のサイドフラップ８の外側に重ね合わせ、粘着剤を介してテープファスナ１９の自由端部をターゲットテープ２０に止着し、前胴周り域２９と後胴周り域３１とを連結する。前後胴周り域２９，３１が連結されたおむつ１Ａには、図４に示すように、胴周り開口２１と、脚周り開口２２とが画成される。
【００３１】
おむつ１Ａでは、第１弾性部材１４の収縮力によって、第１パネルＰ１の両側部６と第２パネルＰ２の当接側部１３とが縦中心線Ｚへ引き寄せられ、第１パネルＰ１の部位が第２パネルＰ２の下方へ向かって凸となり、第２パネルＰ２の自由端部１２が第１パネルＰ１の上方へ向かって凸となっているので、ポケットＰ４が大きく口を開け、ポケットＰ４の大便に対する収容容積を大きくすることができる。
【００３２】
おむつ１Ａでは、股下域３０に多量の軟便や水様便が排泄され、それら大便が表面シート２上を拡散して前胴周り域２９に流動したとしても、それら大便の大部分をポケットＰ４に収容することができ、大便が第２パネルＰ２上に漏出することはない。このおむつ１Ａでは、前胴周り域２９において着用者の肌に対する大便の付着を確実に防ぐことができる。それら大便は、ポケットＰ４に収容された後、水分が第１パネルＰ１と第２パネルＰ２とに吸収、保持され、固形分がポケットＰ４に保持される。
【００３３】
おむつ１Ａでは、第１パネルＰ１の単位面積当たりの排泄物吸収量が、第２パネルＰ２の単位面積当たりのそれよりも小さい。おむつ１Ａでは、排泄物のうちの尿が第２パネルＰ２上に排泄され、第２パネルＰ２に吸収される。おむつ１Ａでは、第２パネルＰ２の排泄物吸収量が第１パネルＰ１のそれよりも大きく、尿の大部分が第２パネルＰ２に吸収、保持され、尿が第２パネルＰ２からポケットＰ４に移行することはなく、ポケットＰ４において尿と大便とが混合してしまうことを防ぐことができる。
【００３４】
おむつ１Ａでは、それが表面シート２を内側にして縦方向へ湾曲し、弾性部材１６が収縮してカフ１５の自由縁部１５ｂが第１パネルＰ１の上方へ起立している。前胴周り域では、カフ１５の自由縁部１５ｂが第２パネルＰ２の上方へ起立している。おむつ１Ａでは、起立したカフ１５の自由縁部１５ｂが排泄物に対する障壁を形成し、サイドフラップ８からの排泄物の漏れを防ぐことができる。
【００３５】
図５，６は、他の実施の形態を示す使い捨ておむつ１Ｂの部分破断斜視図と、図５のＣ−Ｃ線矢視断面図とであり、図７，８は、図５のＤ−Ｄ線矢視断面図と、前後胴周り域２９，３１を連結した着用状態で示す図５のおむつ１Ｂの斜視断面図とである。図５では、横方向を矢印Ｘで示し、縦方向を矢印Ｙで示す。図５のおむつ１Ｂが図１のそれと異なる点は、液吸収性第３パネルＰ３を有することにある。
【００３６】
第３パネルＰ３は、透液性シート２３と、透液性シート２３の間に介在してシート２３に固着された吸液性第３コア２４とから形成されている。第３コア２４は、肌対向側と肌非対向側とが透液性シート２３に覆われている。第３パネルＰ３は、後胴周り域３１から股下域３０へ向かって延びている。
【００３７】
第３パネルＰ３は、第１パネルＰ１の後端部５ｂに重なる当接端部２５と、第１パネルＰ１から上方へ離間する自由端部２６と、第１パネルＰ１の両側部６に重なる当接側部２７とを有する。当接端部２５は、第１パネルＰ１の後胴周り域３１に位置して横方向へ延びている。自由端部２６は、第１パネルＰ１の股下域３０寄りに位置して横方向へ延びている。当接側部２７は、それら端部２５，２６の間を縦方向へ延びている。透液性シート２３は、第３パネルＰ３の自由端部２６において第３コア２４の肌対向側から肌非対向側へ向かって折曲されている。
【００３８】
おむつ１Ｂでは、第１パネルＰ１の後端部５ｂと第３パネルＰ３の当接端部２５とが表面シート２と透液性シート２３とを介して固着され、第１パネルＰ１の両側部６と第３パネルＰ３の当接側部２７とが表面シート２と透液性シート２３とを介して固着されている。
【００３９】
おむつ１Ｂでは、横方向へ延びる伸縮性第２弾性部材２８が第３パネルＰ３の当接端部２５と自由端部２６との間に配置されている。第２弾性部材２８は、第１パネルＰ１と第３パネルＰ３との間に介在し、第２弾性部材２８を横方向へ伸長させた状態でその横方向両端部２８ａが第１パネルＰ１の両側部６と第３パネルＰ３の当接側部２７とに連結されている。第２弾性部材２８の横方向両端部２８ａは、表面シート２と透水性シート２３とにホットメルト型接着剤（図示せず）を介して固着されている。
【００４０】
おむつ１Ｂでは、第２弾性部材２８がおむつ１Ｂの横方向内方へ収縮することによって、第１パネルＰ１の両側部６と第３パネルＰ３の当接側部２７とが縦中心線Ｚの方向へ引き寄せられ、第３パネルＰ３の自由端部２６に重なる第１パネルＰ１の部位が第３パネルＰ３の下方へ向かって凸となるように弧を画き、第３パネルＰ３の自由端部２６が第１パネルＰ１の上方へ向かって凸となるように弧を画いている。第１パネルＰ１と第３パネルＰ３との間には、後胴周り域３１から股下域３０へ向かって開口するポケットＰ５が形成されている。
【００４１】
おむつ１Ｂでは、第２パネルＰ２の前胴周り域２９から股下域３０への延出寸法Ｌ１が第３パネルＰ３の後胴周り域３１から股下域３０への延出寸法Ｌ２よりも大きい。おむつ１Ｂでは、第２および第３パネルＰ２，Ｐ３の自由端部１２，２６が股下域３０において縦方向へ所与寸法離間し、第２パネルＰ２の自由端部１２と第３パネルＰ３の自由端部２６との間に第１パネルＰ１が部分的に露出している。第１パネルＰ１は、股下域３０における後胴周り域３１の側へ偏倚した位置に露出している。
【００４２】
第３コア２４の端縁２４ａから縦方向外方へ延びる透液性シート２３の端部２３ａは、図６に示すように、互いに重なり合う部分が固着され、さらに、表面シート２の端部２ａに固着されている。カフ１５の固定端部１５ｃは、透液性シート２３の端部２３ａに固着されている。
【００４３】
第３コア２４の両側縁２４ｂから横方向外方へ延びる透液性シート２３の側部２３ｂは、図７に示すように、互いに重なり合う部分が固着され、さらに、表面シート２の側部２ｂとカフ１５の固定縁部１５ａとの間に介在し、側部２ｂと固定縁部１５ａとに固着されている。
【００４４】
おむつ１Ｂでは、第２弾性部材２８の収縮力によって、第１パネルＰ１の両側部６と第３パネルＰ３の当接側部２７とが縦中心線Ｚへ引き寄せられ、第１パネルＰ１の部位が第３パネルＰ３の下方へ向かって凸となり、第３パネルＰ３の自由端部２６が第１パネルＰ１の上方へ向かって凸なっているので、それらパネルＰ１，Ｐ３の間に形成されたポケットＰ５が大きく口を開ける。おむつ１Ｂでは、大便がポケットＰ４に収容されるとともに、ポケットＰ５にも収容されるので、おむつ１Ｂにおける大便の収容容積を図１のそれよりも大きくすることができ、さらに、後胴周り域３１におけるエンドフラップ７からの大便の漏れを防ぐことができる。このおむつ１Ａでは、前胴周り域３０と後胴周り域３１とにおいて着用者の肌に対する大便の付着を確実に防ぐことができる。
【００４５】
図９，１０は、他の実施の形態を示す使い捨ておむつ１Ｃの部分破断斜視図と、図９のＥ−Ｅ線矢視断面図とである。図９では、横方向を矢印Ｘで示し、縦方向を矢印Ｙで示す。図９のおむつ１Ｃが図１のそれと異なる点は、以下のとおりである。
【００４６】
このおむつ１Ｃでは、第１コア４と第１コア４の上方に位置する第２コア１０とが表面シート２と裏面シート３との間に介在している。表面シート２は、第２パネルＰ２の自由端部１２において第１パネルＰ１の側へ向かって折曲され、かつ、第１パネルＰ１と第２パネルＰ２との間に折り込まれている。
【００４７】
おむつ１Ｃでは、横方向へ延びる伸縮性第１弾性部材１４が第２パネルＰ２の当接端部１１と自由端部１２との間に配置されている。第１弾性部材１４は、第１パネルＰ１と第２パネルＰ２との間に介在し、第１弾性部材１４を横方向へ伸長させた状態でその横方向両端部１４ａが第１パネルＰ１の両側部６と第２パネルＰ２の当接側部１３とに連結されている。第１弾性部材１４の横方向両端部１４ａは、第１コア４の両側縁４ａ近傍と第２コア１０の両側縁１０ｂ近傍とにホットメルト型接着剤（図示せず）を介して固着されている。
【００４８】
おむつ１Ｃでは、第１弾性部材１４がおむつ１Ｃの横方向内方へ収縮することによって、第１パネルＰ１の両側部６と第２パネルＰ２の当接側部１３とが縦中心線Ｚの方向へ引き寄せられ、第２パネルＰ２の自由端部１２に重なる第１パネルＰ１の部位が第２パネルＰ２の下方へ向かって凸となるように弧を画き、第２パネルＰ２の自由端部１２が第１パネルＰ１の上方へ向かって凸となるように弧を画いている。第１パネルＰ１と第２パネルＰ２との間には、前胴周り域から股下域へ向かって開口するポケットＰ４が形成されている。
【００４９】
表面シート２と透液性シート９，２３とには、親水性繊維不織布、または、微細な多数の開孔を有するプラスチックフィルムを使用することができる。裏面シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ１５には、疎水性繊維不織布を使用することができる。
【００５０】
裏面シート３やカフ１５には、高い耐水性を有するメルトブローン法による繊維不織布を、高い強度を有しかつ柔軟性に富んだスパンボンド法による繊維不織布で挟んだ複合不織布を使用することもできる。
【００５１】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００５２】
第１〜第３コア４，１０，２４は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，１０，２４は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００５３】
表裏面シート２，３どうしの固着や透液性シート１０，２４どうしの固着、シート２，３，１０，２４に対する防漏カフ１５の固着、シート２，３，１０，２４に対するコア４，１０，２４の固着、シート２，３，１５に対する弾性部材１６，１７，１８の固着には、ホットメルト型接着剤、または、ヒートシールや超音波接合等の熱による溶着手段を使用することができる。
【００５４】
この発明は、開放型のおむつの他に、前後胴周り域があらかじめ連結されたパンツ型のおむつにも実施することができる。
【００５５】
【発明の効果】
本発明にかかる使い捨ておむつでは、伸縮性第１弾性部材の収縮によって、第２パネルの当接側部がおむつの縦中心線の方向へ引き寄せられ、第２パネルの自由端部が第１パネルの上方へ向かって凸となる。このおむつでは、第１パネルと第２パネルとの間に前胴周り域から股下域へ向かって大きく口を開けたポケットが形成され、ポケットに多量の大便を収容することができ、大便が第２パネル上に漏出することがなく、前胴周り域において着用者の肌に対する大便の付着を確実に防ぐことができる。
【００５６】
他のおむつでは、伸縮性第１弾性部材の収縮によって、第１パネルの両側部と第２パネルの当接側部とがおむつの縦中心線の方向へ引き寄せられ、第２パネルの自由端部に重なる第１パネルの部位が第２パネルの下方へ向かって凸となり、かつ、第２パネルの自由端部が第１パネルの上方へ向かって凸となる。このおむつには、第２パネルの自由端部のみが第１パネルの上方へ向かって凸となるおむつよりも、一層大きく口を開けたポケットが形成される。
【００５７】
第２パネルとともに第３パネルを有するおむつでは、伸縮性第２弾性部材の収縮によって、第３パネルの当接側部がおむつの縦中心線の方向へ引き寄せられ、第３パネルの自由端部が第１パネルの上方へ向かって凸となる。このおむつでは、第１パネルと第３パネルとの間に後胴周り域から股下域へ向かって大きく口を開けたポケットが形成され、そこに大便を収容することができるので、後胴周り域におけるエンドフラップからの大便の漏れを防ぐことができる。このおむつでは、前胴周り域と後胴周り域とにおいて着用者の肌に対する大便の付着を確実に防ぐことができる。
【００５８】
第２パネルとともに第３パネルを有する他のおむつでは、伸縮性第２弾性部材の収縮によって、第１パネルの両側部と第３パネルの当接側部とがおむつの縦中心線の方向へ引き寄せられ、第３パネルの自由端部に重なる第１パネルの部位が第３パネルの下方へ向かって凸となり、かつ、第３パネルの自由端部が第１パネルの上方へ向かって凸となる。このおむつには、第３パネルの自由端部のみが第１パネルの上方へ向かって凸となるおむつよりも、一層大きく口を開けたポケットが形成される。
【００５９】
第２パネルの単位面積当たりの排泄物吸収量が第１パネルのそれよりも大きいおむつでは、尿の大部分が第２パネルに吸収、保持され、尿が第２パネルからポケットに移行することを防ぐことができ、ポケットにおいて尿と大便とが混合してしまうことを防ぐことができる。
【図面の簡単な説明】
【図１】表面シートの側から示す使い捨ておむつの部分破断斜視図。
【図２】図１のＡ−Ａ線矢視断面図。
【図３】図１のＢ−Ｂ線矢視断面図。
【図４】前後胴周り域を連結した着用状態で示す図１のおむつの斜視断面図。
【図５】他の実施の形態を示す使い捨ておむつの部分破断斜視図。
【図６】図５のＣ−Ｃ線矢視断面図。
【図７】図５のＤ−Ｄ線矢視断面。
【図８】前後胴周り域を連結した着用状態で示す図５のおむつの斜視断面図。
【図９】他の実施の形態を示す使い捨ておむつの部分破断斜視図。
【図１０】図９のＥ−Ｅ線矢視断面図。
【符号の説明】
１Ａ          使い捨ておむつ
１Ｂ          使い捨ておむつ
１Ｃ          使い捨ておむつ
２            透液性表面シート（透液性シート）
３            不透液性裏面シート（不透液性シート）
４            吸液性第１コア
５ａ          前端部
５ｂ          後端部
６            両側部
９            透液性シート
１０            吸液性第２コア
１１            当接端部
１２            自由端部
１３            当接側部
１４            伸縮性第１弾性部材
１４ａ          横方向両端部
２３            透液性シート
２４            吸液性第３コア
２５            当接端部
２６            自由端部
２７            当接側部
２８            伸縮性第２弾性部材
２８ａ          横方向両端部
２９            前胴周り域
３０            股下域
３１            後胴周り域
Ｌ１            寸法
Ｌ２            寸法
Ｐ１            液吸収性第１パネル
Ｐ２            液吸収性第２パネル
Ｐ３            液吸収性第３パネル
Ｐ４            ポケット
Ｐ５            ポケット
Ｚ            縦中心線
【図１】
0003816012.tif 000002
【図２】
0003816012.tif 000003
【図３】
0003816012.tif 000004
【図４】
0003816012.tif 000005
【図５】
0003816012.tif 000006
【図６】
0003816012.tif 000007
【図７】
0003816012.tif 000008
【図８】
0003816012.tif 000009
【図９】
0003816012.tif 000010
【図１０】
0003816012.tif 000011